(57)【要約】【課題】被測定紙に印刷するターゲットマークを簡単に且つ正確に転写する転写式シートを提供する。【解決手段】転写式シートは、透明な部材で形成されたベースシートに、平行な直線の間に等間隔の仕切り線からなる梯子状のターゲットマークを複数個平行に備えた有色層を備え、その有色層の上部面に接着剤を塗付し、その接着剤の上面に非粘着性のバックシートを被せてなる。【選択図】　　　図１
2004077156.tif 000002
【特許請求の範囲】
【請求項１】
透明な部材で形成されたベースシート上に、平行な直線で形成されたその間に等間隔の仕切り線を備えた梯子状のターゲットマークを平行に複数個配置した有色層を備え、その有色層の上部面に接着剤を塗付し、その接着剤の上面に非粘着性のバックシートを被せてなる転写式シートを用いて、
被測定対象紙に、先ず非粘着性シートを剥がし、次に、前記ターゲットマークを形成する平行な直線の片側線を被測定対象紙の端部に合わせるようにして前記接着剤で貼り付けて被測定対象紙に前記ターゲットマークを取り付けるようにしたことを特徴とするターゲットマーク作成方法。
【請求項２】
上記有色層は、黒色層である請求項１に記載のターゲットマーク作成方法。
【請求項３】
透明な部材で形成されたベースシートに、平行な直線で形成されたその間に等間隔の仕切り線を備えた梯子状のターゲットマークを平行に複数個配置した有色層を備え、その有色層の上部面に接着剤を塗付し、その接着剤の上面に非粘着性のバックシートを被せてなる転写式シート。
【請求項４】
上記有色層は、黒色層である請求項３に記載の転写式シート。
【発明の詳細な説明】
【０００１】
【発明の属する技術分野】
本発明は、ターゲットマーク作成方法及び転写式シートに関するものであり、詳しくは変位を測定する手法において測定対象である紙にターゲットを作成する方法及び転写式シートに関する。
【０００２】
【従来の技術】
従来技術における変位計は、ターゲットが無くとも変位の測定が可能であるが、図５に示すように、測定用ターゲットマーク１００を使うことで、精度の向上やノイズなどに強い測定を行うことが可能になる。そのため、ターゲットマーク１００を使う方法を推奨している。
このターゲットマーク１００は、所定の長さ及び幅からなる帯状の黒線１０１を等間隔に並べて、所定の長さに形成したものであり、実施例における寸法は黒線１０１の長さが３ｍｍ、線幅が０．１ｍｍ、黒線１０１と黒線１０１との間隔が０．３ｍｍとなっている。
特に、プリンターなどの紙送りを測定する場合、紙は白く安定性が無いので、ターゲットマークの使用が望ましい。そのため、従来において、ターゲットマーク１００を作るため、インクジェットなどのプリンター、浸透印字回転スタンプを利用して紙に印刷を行っていた。
【０００３】
【発明が解決しようとする課題】
しかしながら、従来技術で説明した変位計において、特に浸透印字回転型スタンプでターゲットマークを印刷する場合は、解像度が低いので、黒線のエッジがシャープではなく、又、黒線が濃く印刷できないので、直線に印刷するための印刷補助装置が必要であるという問題がある。
【０００４】
又、プリンターの紙送りを測定する場合、紙送り方向と平行にターゲットマークを印刷する必要があるが、平行に印刷するための補助装置も必要であるという問題もある。
【０００５】
従って、被測定物である紙の特性を変化させることなく、短時間に精度の良いターゲットマークを紙と平行に作成することができる手法に解決しなければならない課題を有する。
【０００６】
【課題を解決するための手段】
上記課題を解決するために、本発明に係るターゲットマーク作成方法及び転写式シートは、次に示す構成にすることである。
【０００７】
（１）ターゲットマーク作成方法は、透明な部材で形成されたベースシート上に、平行な直線で形成されたその間に等間隔の仕切り線を備えた梯子状のターゲットマークを平行に複数個配置した有色層を備え、その有色層の上部面に接着剤を塗付し、その接着剤の上面に非粘着性のバックシートを被せてなる転写式シートを用いて、被測定対象紙に、先ず非粘着性シートを剥がし、次に、前記ターゲットマークを形成する平行な直線の片側線を被測定対象紙の端部に合わせるようにして前記接着剤で貼り付けて被測定対象紙に前記ターゲットマークを取り付けるようにしたことである。
又、（２）上記有色層は、黒色層である（１）に記載のターゲットマーク作成方法。
【０００８】
（３）転写式シートは、透明な部材で形成されたベースシートに、平行な直線で形成されたその間に等間隔の仕切り線を備えた梯子状のターゲットマークを平行に複数個配置した有色層を備え、その有色層の上部面に接着剤を塗付し、その接着剤の上面に非粘着性のバックシートを被せてなる。
又、（４）上記有色層は、黒色層である（３）に記載の転写式シートである。
【０００９】
【発明の実施の形態】
次に、本発明に係るターゲットマーク作成方法及び転写式シートの実施形態について、図面を参照して説明する。
【００１０】
本発明に係るターゲットマークを備えた転写式シート１０は、図１及び図２に示すように、透明な部材で形成されたベースシート１１上に、平行な直線１２ａ、１２ｂで形成されたその間に等間隔の仕切り線１３からなる梯子状のターゲットマーク１４を長手方向が平行になるように複数個配置した有色層である黒色層１５を備え、その黒色層１５の上部面に接着剤１６を塗付し、その接着剤１６の上面に非粘着性のバックシート１７を被せた構成になっている。
このように、１枚のベースシート１１に複数本のターゲットマーク１４が平行に印刷されているので、１つのターゲットマーク１４あたりのコストを下げることができる。
又、ターゲットマーク１４は、平行の直線１２ａ、１２ｂにして、その直線１２ａ、１２ｂ間に等間隔に仕切り線１３を備えた構成にしたことにより、平行の直線１２ａ、１２ｂがマークを被測定紙に転写するときの接着力を強くすることができ、内側の複数の仕切り線１３が変位計用のターゲットの役割をする。
尚、黒色層１５と接着剤１６の間に、図示しないオペーク層と呼ばれる遮光する層を設けてもよい。この場合、オペーク層を白色にすることにより黒色層１５が他の色の層になったときに透けるのを防止できる。また、このオペーク層は、ターゲットマークが転写される時の強度を向上させる効果がある。
さらに、転写式シートの作成には、スクリーン印刷によりベースシート上にターゲットマークの黒色層を形成するインスタントレタリング方式や、ネガのフィルムを用いてターゲットマークのイメージを焼き付けるクロマティック（登録商標）方式等を用いてもよい。これにより、転写式シートにターゲットマークを鮮明に形成でき、この鮮明さを保ったまま被測定用紙にターゲットマークを転写できる。
【００１１】
このような構成からなるターゲットマークを備えた転写式シート１０は、図３及び図４に示すように、ターゲットマーク１４を被測定紙１８に転写するには、平行に形成したターゲットマーク１４のうち、最外側に位置するターゲットマーク１４ａを被測定紙１８に転写するには、次の内側に隣接するターゲットマーク１４ｂの片側直線１２ｄに被測定紙１８の端部１９を合わせた状態にして転写する。そうすると、目的とするターゲットマーク１４ａが被測定紙１８の端部１９から内側に入った位置に端部１９と平行に転写させることができる。
【００１２】
平行な直線１２ａ、１２ｂにも接着剤１６がついているため、被測定紙１８に転写するときの接着剤１６は強力であるのでターゲットマーク１４ａを被測定紙１８に転写する際に擦る力は小さくてすみ、被測定紙１８に転写した後もターゲットマーク１４を形成する黒色層１５（ターゲットマーク１４ａ）、接着剤１６の層は薄いので被測定紙１８のコシなどの特性への影響が少なくなる。
【００１３】
尚、実施例においては、転写するターゲットマーク１４ａの内側のターゲットマーク１４ｂの直線１２ｄに被測定紙１８の端部１９を合わせるようにしたが、これに限定されることなく、平行に形成したターゲットマーク１４のどれを使用してもよく、被測定紙１８の転写する位置に合わせることができる。即ち、平行基準に形成されているターゲットマーク１４を選ぶことで、被測定紙１８の紙端から任意の位置にターゲットマーク１４を平行に転写することが可能となる。
【００１４】
このような構成の転写式シート１０を使用することにより、次に示すような種々の作用効果を得ることができる。
（１）被測定紙１８の特性に影響しないターゲットマーク１４を作成することができる。
（２）ターゲットマーク１４の作成時間を短縮できる。例えば、インクジェットプリンターを使用すると１０分以上かかる印刷が浸透印式回転型スタンプを使用することで数十秒以下になるが、本発明の転写式シート１０を使用することで、更に浸透印式回転型スタンプでかかる数十秒以下にすることが可能となる。
（３）ターゲットマーク１４の直線性の向上、ターゲットマーク１４の作成ばらつきの低減が可能になる。それは、予め、転写式シート１０にターゲットマーク１４が形成されているので、転写されたターゲットマーク１４が転写する際のばらつきの影響が受けにくいからである。
（４）被測定紙１８の紙端と平行にターゲットマーク１４を転写可能である。転写しないターゲットマーク１４を基準に被測定紙１８に配置すれば、補助装置なしで紙送り方向と略平行に被測定紙１８にターゲットマークを転写できる。
（５）ターゲットマーク１４の転写性の向上を図ることができる。
【００１５】
尚、この転写式シート１０を使用することにより、被測定紙１８以外の一般対象物の測定においても、使用することができることは勿論のことである。
【００１６】
【発明の効果】
上記説明したように、本発明に係るターゲットマークを形成する転写式シートは、平行な直線で形成されたその間に等間隔で仕切り線を設けたターゲットマークを形成し、このターゲットマークを複数個平行にして且つ接着剤を塗付した構成にしたことにより、別途治具がなくともターゲットマークの直線性を利用して被測定紙に転写させることができるため、極めて短時間で且つ簡単であっても正確にターゲットマークを生成することができるという効果がある。
【図面の簡単な説明】
【図１】本発明に係るターゲットマークを形成した転写式シートの断面図である。
【図２】同転写式シートの平面図である。
【図３】同転写式シートを被測定紙の紙端部にターゲットマークを合わせたときの様子を示した説明図である。
【図４】同転写式シートを被測定紙に合わせた時の断面図である。
【図５】従来技術におけるターゲットマークの平面図である。
【符号の説明】
１０　　　転写式シート
１１　　　ベースシート
１２ａ　　直線
１２ｂ　　直線
１２ｃ　　直線
１２ｄ　　直線
１３　　　仕切り線
１４　　　ターゲットマーク
１４ａ　　ターゲットマーク
１４ｂ　　ターゲットマーク
１５　　　黒色層
１６　　　接着剤
１７　　　バックシート（非粘着性）
１８　　　被測定紙。
【図１】
2004077156.tif 000003
【図２】
2004077156.tif 000004
【図３】
2004077156.tif 000005
【図４】
2004077156.tif 000006
【図５】
2004077156.tif 000007